(57)【要約】【課題】  本発明は、紙、合成物質、金属等から成る、紙葉をクランプするためのクリップであって、このクリップの角部もしくは側面において、Ｕ字形部が、２つの同じ形の、または同じ形でないリブでもって形成されており、その際、紙葉堆積体が、両方のリブの間で、これらリブ自体によって、もしくは、これらリブ内に組み込まれた突出部を用いて、締付けられる様式の上記クリップに関する。【解決手段】  本発明は、クリップが、１つの部材から成る−三角形状、もしくは、−台形状、もしくは、−半円形状、もしくは、−半楕円形状に、−弛緩された状態において−平行に互いに配設されたリブ１、１ａ、もしくは１ｂでもって形成されており、その際、両方のリブ１、１ａ、もしくは１ｂが、背中部２に対して鋭角または鈍角４ａに設けられたそれぞれの１つの側面４において、もしくは、それぞれ１つの頭頂部８において、鋭角または鈍角３ａだけ端部を折り曲げられ、且つ内方へと屈曲された幅の狭い折り目３を有していること、および、両方のリブ６は、ばね７を用いて、クリップの弛緩された状態においてと同様に、締付けられた紙葉堆積体の状態においても、重なり合って、且つ平行に配設されており、且つ、相互の接触無しに互いに結合されている、ことによって特徴付けられる。このクリップは、エッジ部４もしくは背中部２の方向に、この紙堆積体の上に押し上げられ、且つ、この紙堆積体が、予負荷された背中部２、もしくはばね７の力、および内方へと屈曲された折り目３によって締付けられる。
2006520704.tif 000002
【特許請求の範囲】
【請求項１】
紙、合成物質、金属等から成る、紙葉をクランプするためのクリップであって、
このクリップの角部もしくは側面において、Ｕ字形部が、１つの部材から成るように、もしくは多部材より成るように、２つの同じ形の、または同じ形でないリブでもって形成されており、
その際、
紙葉堆積体が、両方のリブの間で、これらリブ自体によって、もしくは、これらリブ内に組み込まれた突出部、および予負荷された背中部の力を用いて、締付けられる様式の上記クリップにおいて、
クリップが、１つの部材から成る−三角形状、もしくは、−台形状、もしくは、−半円形状、もしくは、−半楕円形状に、−弛緩された状態において−平行に互いに配設されたリブ（１、１ａ）、もしくは（１ｂ）でもって形成されており、
その際、両方のリブ（１、１ａ）、もしくは（１ｂ）が、背中部（２）に対して鋭角または鈍角（４ａ）に設けられたそれぞれの１つの側面（４）において、もしくは、それぞれ１つの頭頂部（８）において、鋭角または鈍角（３ａ）だけ端部を折り曲げられ、且つ内方へと屈曲された幅の狭い折り目（３）を有していること、および、
このクリップが、金属、もしくは高力の合成物質、もしくは木材、もしくは押圧されたセルロースから成ることを特徴とするクリップ。
【請求項２】
両方のリブ（６）は、ばね（７）を用いて、クリップの弛緩された状態においてと同様に、締付けられた紙葉堆積体の状態においても、重なり合って、且つ平行に配設されている、ことを特徴とする請求項１に記載のクリップ。
【請求項３】
クリップは、多部材より成るように構成されており、その際、両方のリブ（６）が、
相互の接触無しに、ばね（７）を用いて互いに結合されていることを特徴とする請求項１に記載のクリップ。
【発明の詳細な説明】
【技術分野】
【０００１】
本発明は、請求項１の上位概念による紙葉をクランプするためのクリップに関する。
【背景技術】
【０００２】
幾つかの、原理的に異なって構成された、クリップの様式が存在する：即ち、
一方では、紙に多数の穴が開けられ、且つ、ただ困難性だけを有して再び除去されることが可能である、綴じ合わせクリップが、
他方では、これまた同様に、基本的に２つのグループに分かれる摩擦力に基づくクリップ、即ち：
一部片の線材、合成物質、または薄板から成る事務用クリップ、または、そのクランプ装置に装着されたグリップを有する、ばね作用を行うクランプ装置が存在する。
【０００３】
上述のうち最後に述べた、締付け作用を基礎とするクリップのグループは、ここで、古典的な事務用クリップ、および薄板クリップの場合において、僅かの保持能力の欠点を有しており、
他方の装置は、必要なグリップによって、場所を取り、多部材より成り、且つかさ高であり、且つ同様にただ限定された状態でだけ機能を果たす能力がある。何故ならば、ロック機構、およびロック解除機構が、クランプ機構から分離されているからである。
【０００４】
国際公開第２００１／５８７００号パンフレット（特許文献１）、ドイツ連邦共和国特許出願公開第４２  ３９  ５４４号明細書（特許文献２）、米国特許第５９，７０，７７７号明細書（特許文献３）、英国特許出願公開第１  ２０６  ５３８号明細書（特許文献４）、ドイツ連邦共和国特許第３８１  ８１０号明細書（特許文献５）の、１つの部材から成るようなクリップは、２つの欠点を有している：即ち、
１．容易に紙葉堆積体に押し上げられるべき、当該のクリップは、ただ僅かの締付け力だけを、面を用いてのクランプに基づいて、または材料に基づいて備えている。
２．大きな締付け力を有する唯一のクリップ（国際公開第２００１／５８７００号パンフレット（特許文献１））は、しかしながら、極めて困難な状態で、堆積体から除去される。
【特許文献１】国際公開第２００１／５８７００号パンフレット
【特許文献２】ドイツ連邦共和国特許出願公開第４２  ３９  ５４４号明細書
【特許文献３】米国特許第５９，７０，７７７号明細書
【特許文献４】英国特許出願公開第１  ２０６  ５３８号明細書
【特許文献５】ドイツ連邦共和国特許第３８１  ８１０号明細書
【発明の開示】
【発明が解決しようとする課題】
【０００５】
従って、本発明は、救済策を提示すること、およびクリップを提供することを目的とし、このクリップの場合、束ねられるべき堆積体が、損傷を与えられることなく、ばね作用を行うように配設された、三角形状、もしくは台形状、もしくは半円形状、もしくは半楕円形状のリブを用いて、直接的に相対して押圧され、且つ、内方へと屈曲された折り目によって固定される。このクリップの締付け作用は、当該の形状一体的なクリップとほぼ匹敵している。
【課題を解決するための手段】
【０００６】
本発明により、これら目的は、請求項１から３まで内において特徴付けられた技術的な特徴によって達成される。
【発明の効果】
【０００７】
次に、図に基づいて、本発明を詳しく説明する。
【発明を実施するための最良の形態】
【０００８】
図１〜６に図示されているようなクリップは、２つの対称のリブ１、１ａ、１ｂを有しており、これらリブが、背中部２に沿って、旋回可能に、ばね作用を行うように互いに結合されている。このクリップは、紙堆積体を角部において把持すべきなので、および、この紙堆積体が容易に頁が捲られねばならないので、このリブ１、１ａ、１ｂは、三角形状、もしくは台形状、もしくは半円形状、もしくは半楕円形状に形成されている。
【０００９】
図７〜９に図示されているようなクリップは、２つのリブ６を有しており、これらリブが、ばね７を介して、運動可能に互いに結合されており、その際、両方のリブ６が、このクリップの弛緩された状態においてと同様に、クランプされた紙葉堆積体の状態においても、互いに上下に、且つ平行に、相互の接触無しに配設されている。
【００１０】
図１Ａおよび図１Ｂ内において図示されているような、内方へと屈曲された折り目３は、それぞれに、背中部２に対して鋭角または鈍角４ａに設けられた、両方のリブ１、１ａ、６の側面４において（図１、４、７）、もしくは、両方のリブ１ｂの頭頂部８の領域内において（図５）設けられている。
【００１１】
クリップは、開放されるのでもなく、閉鎖されるのでもなく、このクリップが、単に、リブ１、１ａ、６の円形部５でもって、もしくは、リブ１ｂの円形部５ａでもって、紙堆積体に対して当着され、且つ、指圧力４′もしくは２′によって、エッジ部の方向に、もしくは背中部２の方向に、この紙堆積体の上を通過して摺動される。このクリップは、指圧力４′もしくは２′の方向と反対方向への摺動によって除去される。
【００１２】
挟み込まれた紙葉の完全に信頼性の高い保持は、角度３ａでもって端部を折り曲げられた折り目３によって保証される。このクリップは、金属、合成物質、木材、または紙から製造される。
【図面の簡単な説明】
【００１３】
【図１】本発明による、１つの部材から成るようなクリップの三角形の様式を、平面図で示した図である。
【図１Ａ】図１の断面Ｘ−Ｘにおける、１つの実施形態による、内方へと屈曲された折り目の、部分断面図である。
【図１Ｂ】図１の断面Ｘ−Ｘにおける、他の実施形態による、内方へと屈曲された折り目の、部分断面図である。
【図２】本発明による、１つの部材から成るようなクリップの三角形の様式を、側面図で示した図である。
【図３】本発明による、１つの部材から成るようなクリップの三角形の様式を、斜視俯瞰図で示した図である。
【図４】クリップの、台形状の実施形態を示した平面図である。
【図５】クリップの、半円形状の実施形態を示した平面図である。
【図６】クリップの、半円形状の実施形態を示した側面図である。
【図７】そのクリップのリブが、図１〜３のものとほぼ同一である、本発明による、多部材より成るクリップの平面図である。
【図８】そのクリップのリブが、図１〜３のものとほぼ同一である、本発明による、多部材より成るクリップの側面図である。
【図９】そのクリップのリブが、図１〜３のものとほぼ同一である、本発明による、多部材より成るクリップの斜視俯瞰図である。
【図１】
2006520704.tif 000003
【図２】
2006520704.tif 000004
【図３】
2006520704.tif 000005
【図４】
2006520704.tif 000006
【図５】
2006520704.tif 000007
【図６】
2006520704.tif 000008
【図７】
2006520704.tif 000009
【図８】
2006520704.tif 000010
【図９】
2006520704.tif 000011
【国際調査報告】
2006520704.tif 000012
2006520704.tif 000013
2006520704.tif 000014
2006520704.tif 000015